(57)【要約】【課題】  フィット性を向上させることができる吸収性物品を提供する。【解決手段】  吸収パッド１の立体ギャザー８には第一の糸ゴム８２が前後方向Ｘに伸縮するように設けられており、吸収パッド１の前部１ａと後部１ｂはこの糸ゴム８２が縮むのに伴って装着側へ引っ張られることにより起立して形成されている。また吸収パッド１のギャザー９の外側端９１１は、非折り返し部９１が折り返されていない分、折り重ね部７１よりも柔らかく形成されていることから装着側へ曲げられている。【選択図】    図１
2005095263.tif 000002
【特許請求の範囲】
【請求項１】
着用者の股に装着される吸収性物品において、前記着用者の股の前後側にあてられる前部と後部が装着側へ起立して形成されているとともに、前記前部と前記後部の左右側縁が装着側へ曲げて形成されたことを特徴とする吸収性物品。
【請求項２】
前記吸収性物品は、前記前部から前記後部にかけての装着側に設けられて前後方向に伸縮する伸縮部材を備え、前記前部と前記後部はこの伸縮部材が縮むのに伴って装着側へ引っ張られることにより起立して形成されたことを特徴することを特徴とする請求項１記載の吸収性物品。
【請求項３】
前記吸収性物品には、トップシートの装着面の左右側にそれぞれギャザーが設けられ、このギャザーは装着者に向かい、内側が二重になるようにギャザーを折り返し、折り重ね部が前記装着面に固定されている一方、前記前部と前記後部の左右側縁を有する外側端が前記折り重ね部よりも柔らかいことにより装着側へ曲げられたことを特徴とする請求項１または２記載の吸収性物品。
【請求項４】
前記ギャザーの前記折り重ね部は、内側面の下端が前記トップシートを介して前記吸収性物品内の吸収体上に固定されているとともに、前記折り重ね部の前後端部が前記トップシートに固定され、その固定領域の一部が前記トップシートを介して前記吸収体上に位置し、この状態で前記ギャザーの前記外側端が前記吸収体よりも外側に位置するように形成されたことを特徴とする請求項３記載の吸収性物品。
【発明の詳細な説明】
【技術分野】
【０００１】
本発明は、ナプキンや失禁パッド等の吸収性物品に関する。
【背景技術】
【０００２】
従来、着用者の股に装着して尿等の体液を吸収する吸収性物品は、例えば図３に示す吸収パッド１０１のように、着用側のトップシート１０２と、非着用側のバックシート１０３と、両シート１０２、１０３の間に介在した吸収体１０４とを備えている。
【０００３】
またトップシート１０２の左右側には、着用者の身体への接触面１２１にそれぞれギャザー１０５、１０５が設けられている。このギャザー１０５内には左右に糸ゴム１５１、１５１が前後方向Ｘに伸縮可能に設けられており、この糸ゴム１５１、１５１が縮んでいることによりギャザー１０５には皺１５２が前後方向Ｘに延在して形成されている。
【０００４】
さらにこの糸ゴム１５１、１５１が縮んでいることにより吸収パッド１０１の左右側端を構成するギャザー１０５の外側端１５３、１５３が吸収パッド１０１の内側（中心側）へ湾曲しており、これによって股に装着した際には脚まわりのフィット性を向上させている。
【発明の開示】
【発明が解決しようとする課題】
【０００５】
しかしながら、このような吸収パッド１０１においては吸収パッド１０１全体が平たく形成されていることから、股に装着する際には股の前側と後側にあてられる前部１１１と後部１１２を着用者自身が装着側へ折り曲げなければならない。このため、前部１１１と後部１１２の折り曲げ方によっては股の前後側にフィットさせることが難しく、フィット性が低下してしまう問題があった。
【０００６】
本発明は、かかる従来の課題に鑑みてなされたものであり、フィット性を向上させることができる吸収性物品を提供することを目的とする。
【課題を解決するための手段】
【０００７】
前記課題を解決するために本発明の請求項１記載の吸収性物品においては、着用者の股に装着される吸収性物品において、前記着用者の股の前後側にあてられる前部と後部が装着側へ起立して形成されているとともに、前記前部と前記後部の左右側縁が装着側へ曲げて形成されたものとしている。
【０００８】
かかる構成においては、体に沿った形状になるため、装着しやすくなる。
【０００９】
また請求項２記載の吸収性物品においては、前記吸収性物品は、前記前部から前記後部にかけての装着側に設けられて前後方向に伸縮する伸縮部材を備え、前記前部と前記後部はこの伸縮部材が縮むのに伴って装着側へ引っ張られることにより起立して形成されたものとしている。
【００１０】
かかる構成においては、伸縮部材を使用した簡単な構成で体に沿った形状を形成することができる。
【００１１】
また請求項３記載の吸収性物品においては、前記吸収性物品には、トップシートの装着面の左右側にそれぞれギャザーが設けられ、このギャザーは装着者に向かい、内側が二重になるようにギャザーを折り返し、折り重ね部が前記装着面に固定されている一方、前記前部と前記後部の左右側縁を有する外側端が前記折り重ね部よりも柔らかいことにより装着側へ曲げられたものとしている。
【００１２】
かかる構成においては、ギャザーを折り返した簡単な構成で体に沿った形状を形成することができる。
【００１３】
また請求項４記載の吸収性物品においては、前記ギャザーの前記折り重ね部は、内側面の下端が前記トップシートを介して前記吸収性物品内の吸収体上に固定されているとともに、前記折り重ね部の前後端部が前記トップシートに固定され、その固定領域の一部が前記トップシートを介して前記吸収体上に位置し、この状態で前記ギャザーの前記外側端が前記吸収体よりも外側に位置するように形成されたものとしている。
【００１４】
かかる構成においては、ギャザーの折り重ね部の固定力が強まるため、吸収性物品の前部と後部の左右側縁の装着側への曲げが大きくなり、さらに体に沿った形状になって装着しやすくなる。
【発明の効果】
【００１５】
本発明の請求項１記載の吸収性物品においては、体に沿った形状になるため、装着しやすくなる。よって、フィット性を向上させることができる。
【００１６】
また請求項２記載の吸収性物品においては、伸縮部材を使用した簡単な構成で体に沿った形状を形成することができる。よって製造コストの増加を抑えながらフィット性を向上させることができる。
【００１７】
また請求項３記載の吸収性物品においては、ギャザーを折り返した簡単な構成で体に沿った形状を形成することができる。よって、製造コストの増加を抑えながらフィット性を向上させることができる。
【００１８】
また請求項４記載の吸収性物品においては、ギャザーの折り重ね部の固定力が強まるため、吸収性物品の前部と後部の左右側縁の装着側への曲げが大きくなり、さらに体に沿った形状になって装着しやすくなる。よって、フィット性をさらに高めることができる。
【発明を実施するための最良の形態】
【００１９】
本発明をより詳細に説明するために、以下添付図面に従ってこれを説明する。
【００２０】
図１は本発明の実施の形態を示す吸収パッド１の平面図であり、図２は図１のＡ−Ａ線における吸収パッド１の分解縦断面図である。この吸収パッド１は、吸収パッド本体１１と、吸収パッド本体１１の装着面２１の左右側に設けられたギャザー７、７とから構成されている。
【００２１】
吸収パッド本体１１は、着用側であるトップシート２と、非着用側であるバックシート３と、トップシート２とバックシート３との間に介在した吸収体４とを中心にして構成されている。
【００２２】
この吸収体４は前後に長く形成されており、着用者の体液を吸収するパルプ４１とポリマー４２から構成されている。なお吸収体４はポリマー４２のみから構成しても良い。また吸収体４の側面４３にはクレープ紙５や不職布が覆われている。
【００２３】
またトップシート２は、吸収体２よりも広く前後に長く形成されている。またトップシート２と吸収体４との間にはセカンドシート６が配置されており、吸収体２よりも広く前後に長く形成されている。またトップシート２とセカンドシート６は不織布から成り、着用者の体液を通過させる透液性を有している。
【００２４】
またバックシート３も、吸収体２よりも広く前後に長く形成されており、トップシート２と前後方向Ｘの長さが同じに形成されている。またこのバックシート３は、ポリエチレン等の着用者の体液を通過させない不透液性フィルムや、不透液性フィルムと不織布あるいは織布を貼り合わせた透液性の素材や、通気性また非通気性の素材が使用されている。
【００２５】
一方、前記ギャザー７は、トップシート２の装着面２１において左右側部２２、２２の全長にわたってそれぞれ設けられており、図２示すようにシート部材７０を巻いた状態で、装着者に向かい、内側が二重になるようにギャザー７を折り返しており、装着側へ折り返された立体ギャザー８と、折り返されていないギャザー９とから構成されている。
【００２６】
そしてこの折り返しによってギャザー７には、ギャザー８、９が折り重なった折り重ね部７１が形成されている。この折り重ね部７１は、シート部材７０の内側面７２の下端７３がトップシート２を介して吸収体４上に位置するようにトップシート２の装着面２１に固定されている。
【００２７】
さらにこの折り重ね部７１は、図１に示すように前後端部７４、７５がトップシートの装着面２１に固定されており、その固定領域の一部７６がトップシート２を介して吸収体４上に位置している。
【００２８】
一方、前記立体ギャザー８は、折り返されたシート部材７０の折り返し部８１と、この折り返し部８１内に設けられた本発明の伸縮部材である第一の糸ゴム８２とから構成されている。
【００２９】
折り返し部８１は、折り重ね部７１がトップシート３に固定された状態で外側端８１１が吸収体２よりも外側に位置するように形成されている。
【００３０】
一方、第一の糸ゴム８２は、折り返し部８１において外側端部８１２の前部から後部にかけての内部に前後方向Ｘに延在して設けられており、所定の長さに引っ張られた状態で中間部が折り返し部８１に前後方向Ｘに伸縮可能に固定されている。したがって、吸収パッド１は、この糸ゴム８２が縮むのに伴って、図１に示すように前部１ａと後部１ｂが装着側へ引っ張られることにより装着側で起立して形成されている。また糸ゴム８２が縮むことによって立体ギャザー８には皺８３が前後方向Ｘに延在して形成されている。
【００３１】
一方、前記ギャザー９は、折り返されていないシート部材７０の非折り返し部９１と、この非折り返し部９１内に左右に設けられた第二の糸ゴム９２、９２とから構成されている。
【００３２】
非折り返し部９１は、折り重ね部７１がトップシート３に固定された状態で外側端９１１が吸収体４よりも外側かつ、立体ギャザー７の外側端８１１よりも外側に位置するように形成されており、吸収パッド１の左右側端を構成している。また、外側端９１１は、非折り返し部９１が折り返されていない分、折り重ね部７１よりも柔らかく形成されていることから、図１に示すように装着側へ曲げられている。
【００３３】
一方、第二の糸ゴム９２、９２は、非折り返し部９１の外側部９１２の前部から後部にかけての内部に前後方向Ｘに延在して設けられており、所定の長さに引っ張られた状態で中間部が非折り返し部９１に前後方向Ｘに伸縮可能に固定されている。したがって、この糸ゴム９２、９２が縮むことによりギャザー９には皺９３が前後方向Ｘに延在して形成されているとともに、外側端９１１、９１１が吸収パッド１の内側（中心側）へ湾曲している。
【００３４】
かかる構成においてこの吸収パッド１を着用者の股に装着した際には、吸収パッド１の左右側端９１１、９１１が内側へ湾曲していることから着用者の脚まわりにフィットする。また、吸収パッド１の前部１ａおよび後部１ｂが装着側へ起立していることにより、前部１ａと後部１ｂは装着時に折り曲げなくても股の前後側を覆う状態となる。さらに、ギャザー７の折り返しによって、吸収パッド１の前部１ａと後部１ｂの左右側縁９１１ａ、９１１ｂを有する外側端９１１が装着側へ大きく曲げられている。
【００３５】
したがって、吸収パッド１全体が体に沿った形状になるため、装着しやすくなる。よって、本実施の形態の吸収パッド１においてはフィット性を向上させることができる。
【００３６】
さらに、折り重ね部７１の内側面７２の下端７３がトップシート２を介して吸収体４上に位置するとともに、前後端部７４、７５の固定領域の一部７６がトップシート２を介して吸収体４上に位置し、この状態でギャザー７の外側端９１１が吸収体４よりも外側に位置している。
【００３７】
これにより、折り重ね部７１の固定力が強くなっており、吸収パッド１の前後部１ａ、１ｂの左右側縁９１１ａ、９１１ｂは装着側へ大きく曲げられるので、吸収パッド１全体がさらに体に沿った形状になるため、装着しやすくなる。よって、フィット性をさらに向上させることができる。
【００３８】
また、この吸収パッド１は、本発明の伸縮部材である第一の糸ゴム８３を使用して前部１ａと後部１ｂを装着側で起立させたことから、簡単な構成で体に沿った形状を形成することができる。よって製造コストの増加を抑えながらフィット性を向上させることができる。
【００３９】
さらに、この吸収パッド１は、前後部１ａ、１ｂの左右側縁９１１ａ、９１１ｂを有し、折り返したギャザー７を使用して同じテンション率で形成すると折り返している部分が持ち上がる外側端９１１、９１１を装着側へ曲げたことから、簡単な構成で体に沿った形状を形成することができる。よって製造コストの大幅な増加を抑えながら吸収パッド１の性能をさらに向上させることができる。
【図面の簡単な説明】
【００４０】
【図１】本発明の実施の形態を示す吸収パッドの斜視図である。
【図２】図１のＡ−Ａ線における分解縦断面図である。
【図３】従来の吸収パッドの斜視図である。
【符号の説明】
【００４１】
１    吸収パッド
１ａ    前部
１ｂ    後部
２    トップシート
３    バックシート
４    吸収体
７    ギャザー
２１    装着面
８２    第一の糸ゴム
７１    折り重ね部
７２    内側面
７３    下端
７４    前端部
７５    後端部
７６    固定領域の一部
９１１    外側端
９１１ａ  右側縁
９１１ｂ  左側縁
Ｘ      前後方向
【図１】
2005095263.tif 000003
【図２】
2005095263.tif 000004
【図３】
2005095263.tif 000005